(57)【要約】【課題】  巻き乱れを生じさせることを防止できる磁気テープカセットを提供する。【解決手段】  上ハーフ１０と下ハーフ１１とを蓋合わせ状に結合して形成されたカセットケースと、カセットケース内に回転可能に配され、磁気テープを巻回した一対の巻取ハブ２２と、巻取ハブ２２の上側と下側に配置されたシート２４，２５とを備え、下側のシート２４に巻取ハブ２２側に突設されたシボリ部２７が設けられ、下ハーフ１１には、シボリ部２７を下方から支持するリブ３０が形成されている。【選択図】  図１
2005243110.tif 000002
【特許請求の範囲】
【請求項１】
上ハーフと下ハーフとを蓋合わせ状に結合して形成されたカセットケースと、
前記カセットケース内に回転可能に配され、磁気テープを巻回した一対の巻取ハブと、
前記巻取ハブの上側と下側に配置されたシートとを備え、
前記下側のシートに前記巻取ハブ側に突設されたシボリ部が設けられ、前記下ハーフには、前記シボリ部を下方から支持するリブが形成されていることを特徴とする磁気テープカセット。
【請求項２】
前記下ハーフの下面側にスライド可能に支持されたスライダを備え、該スライダには、前記下ハーフに対するスライド方向に沿うスライドリブが形成され、該スライドリブが、前記下ハーフの前記リブの下面側に形成されたスライド溝内に収容保持されていることを特徴とする請求項１に記載の磁気テープカセット。
【発明の詳細な説明】
【技術分野】
【０００１】
本発明は、磁気テープカセットに係り、特に磁気テープを円滑に走行させることができる磁気テープカセットに関する。
【背景技術】
【０００２】
ＤＤＳやＤＡＴ用の磁気テープカセットとしては、従来、例えば特許文献１に記載されたものがある。図３に従来の磁気テープカセットを示す。
従来の磁気テープカセットでは、図３に示すように、長尺の磁気テープ１を巻回した一対の巻取ハブ２を、その表裏から上側のシート３及び下側のシート４によって挟んだ構造とされている。そして、このようにシート３，４に挟まれた磁気テープ１は、下ハーフ５に配設され、この下ハーフ５にその上方から巻取ハブ２の回転を規制して弛みを防ぐブレーキ部材６を介して図示しない上ハーフがかぶせられることでカセットケース内に収納される。
下ハーフ５には、その下面側に、前後へ摺動するスライダ７を有しており、このスライダ７が前後へスライドすることにより、磁気テープ１が通されているポケット部８の下方側が開閉される。
【０００３】
シート３，４には磁気テープ１側へ突出するシボリ部３ａ，４ａが、シート全幅にわたって形成され、このシボリ部３ａが磁気テープ１の巻面に線接触することにより、磁気テープ１を円滑に走行させることで磁気テープ１の巻き乱れを防止している。
【０００４】
【特許文献１】特開平１０−３３４６３３号公報
【発明の開示】
【発明が解決しようとする課題】
【０００５】
ところで、近年、磁気テープ１へ記憶させる容量の増加に伴い磁気テープの幅寸法が大きくなり、磁気テープ１自体が重くなる傾向がある。
磁気テープ１が重くなる場合には、下側のシート４のシボリ部が磁気テープ１の重さに耐えられずに潰れてしまうことで、線接触による円滑な保持ができなくなってしまうおそれがあった。また、下側のシート４のシボリ部が潰れることにより、磁気テープ１が下方へ下がり、磁気テープ１と下側のシート４との接触抵抗が大きくなり、磁気テープ１に巻き乱れが生じるおそれがあった。
【０００６】
本発明は、このような事情に鑑みてなされたもので、巻き乱れを生じさせることを防止できる磁気テープカセットを提供することを目的としている。
【課題を解決するための手段】
【０００７】
本発明の上記目的は、上ハーフと下ハーフとを蓋合わせ状に結合して形成されたカセットケースと、カセットケース内に回転可能に配され、磁気テープを巻回した一対の巻取ハブと、巻取ハブの上側と下側に配置されたシートとを備え、下側のシートに巻取ハブ側に突設されたシボリ部が設けられ、下ハーフには、シボリ部を下方から支持するリブが形成されていることを特徴とする磁気テープカセットによって達成される。
【０００８】
本発明の磁気テープカセットによれば、磁気テープの下方のシートにシボリ部を設け、シボリ部の下方から支持するリブが設けられているため、シボリ部が磁気テープの重量によって潰れて磁気テープに巻き乱れが生じることを防止することができる。
【０００９】
上記磁気テープカセットは、下ハーフの下面側にスライド可能に支持されたスライダを備え、該スライダには、下ハーフに対するスライド方向に沿うスライドリブが形成され、該スライドリブが、下ハーフのリブの下面側に形成されたスライド溝内に収容保持されていることが好ましい。
こうすれば、スライダを移動させる際に、スライドリブがスライド溝に案内されるようになるため、スライダをより円滑に移動させることができる。
【発明の効果】
【００１０】
本発明によれば、巻き乱れを生じさせることを防止できる磁気テープカセットを提供できる。
【発明を実施するための最良の形態】
【００１１】
以下、本発明の実施形態を図面に基づいて詳しく説明する。
図１は、本発明に係る磁気テープカセットの一実施形態を示す斜視図である。
図１に示すように、磁気テープカセット１００は、上ハーフ１０と下ハーフ１１とを蓋合わせ状に結合させてなるカセットケースを有し、下ハーフ１１の下側面に前後方向にスライド可能に装着されるスライダ１２とを備えている。
【００１２】
カセットケース内には、後述するように一対の巻取ハブ２２に巻回され張架された磁気テープ２１が収容される。磁気テープカセット１００の非使用時は、巻取ハブ２２が回転して磁気テープ２１が弛まないように、巻取ハブ２２の回転を禁止するブレーキ部材１３が上ハーフ１０に設けられている。ブレーキ部材１３は、２つの制動片１３ａを有し、該制動片１３ａが巻取ハブ２２の上端部に設けられた歯車と係合するように構成されている。磁気テープカセット１００の非使用時には、ブレーキ部材１３は、制動片１３ａが巻取ハブ２２の歯車に係合するように、ねじりコイルばねを用いたブレーキばね１４によって付勢されている。
【００１３】
上ハーフ１０には、カセット非使用時において、一対の巻取ハブ間に張架された磁気テープの部分を保護するため上ハーフ１０前面に前蓋１５が設けられている。
【００１４】
下ハーフ１１は、略長方形状の底面１１ａに、カセット使用時においてカセットケース内にリール軸を挿入するためのリール軸挿入孔１１ｂを有し、底面１１ａの左右両端は前方に伸びる張出部１１ｃとなっている。左右の張出部１１ｃには、磁気テープをガイドするための円柱状のリブ１１ｄが設けられている。この左右の張出部１１ｃの間の空間は、当該磁気テープカセットが装填される記録再生装置側に設けられているいわゆるテープローディング装置が進入するための空間である。
【００１５】
下ハーフ１１の底面１１ａには、上方視においてハの字状に設けた壁状のリブ１１ｅが立設され、その前方中央に柱状のリブ１１ｆが設けられている。そして、この柱状のリブ１１ｆと前記壁状のリブ１１ｅとの間にＶ字状の板ばね１６が挿入される。
【００１６】
スライダ１２は、下ハーフ１１の底面１１ａに下側から接してカセット前後方向に摺動するが、前方に位置するときは、前記下ハーフ１１の左右の張出部１１ｃの間の空間およびリール軸挿入孔１１ｂをスライダ１２の底面１２ａにより防塵のため塞ぐようになっている。また、スライダ１２が後方に位置するときは、下ハーフ１１の左右の張出部１１ｃの間の空間を解放するとともに、スライダ１２の底面１２ａに設けられた２つの孔１２ｂが前記下ハーフ１１のリール軸挿入孔１１ｂと一致するようになっている。
【００１７】
スライダ１２は、磁気テープカセット１００が記録再生装置に装着されたときは、後方に移動されるが、カセット非使用時には、前記Ｖ字状の板ばね１６によって前方の位置に保持される。このＶ字状の板ばね１６の付勢力を受けるためにスライダ１２の前方に壁状のリブ１２ｃが設けられている。
【００１８】
上ハーフ１０と下ハーフ１１の間には、一対の巻取ハブ２２が収納される。磁気テープ２１は、これら一対の巻取ハブ２２に巻回されている。巻取ハブ２２の上端部周面には、歯車２３が設けられており、前述したブレーキ部材１３の制動片１３ａが、この歯車２３に係合することにより巻取ハブ２２の回転が規制される。
【００１９】
また、磁気テープ２１を巻回した巻取ハブ２２をカセットに収納する際、下側のシート２４及び上側のシート２５が介在される。これら上下のシート２４，２５には、それぞれ孔２４ａ、２５ａが形成されている。シート２４，２５は、孔２４ａ、２５ａを、下ハーフ１１の符号１１ｇで示すリブに通すことによって位置決めされる。
【００２０】
上側のシート２５は、カセット左右方向に、磁気テープ２１側（図１において下方側）へ向かって突出する２本のシボリ部２８を有している。また、下側のシート２４は、磁気テープ２１側（図１において上方側）へ向かって突出する２本のシボリ部２７を有している。シボリ部２７は、磁気テープカセットの前後方向に孔２４ｂを挟んで延設されている。
【００２１】
シボリ部２７、２８は、いずれも下側のシート２４及び上側のシート２５を磁気テープ２１側へ突出するようにしぼり加工を施すことにより形成されている。
【００２２】
磁気テープカセット１００において、下側のシート２４及び上側のシート２５に設けられたシボリ部２７、２８が、巻取ハブ２２に巻回された磁気テープ２１を上下から支え、同時に磁気テープ２１の高さ規制をしている。このように、シボリ部２７、２８を有する下側のシート２４及び上側のシート２５を介在させたことにより、磁気テープ２１の走行高さが適正に規制されるとともに、滑らかなテープ走行が実現される。
【００２３】
本実施形態の磁気テープカセット１００において、下ハーフ１１にはリール軸挿入孔１１ｂを通るカセット前後方向に、下側のシート２４側へ向かって突出する２本のリブ３０が形成されている。リブ３０は、下側のシート２４を下ハーフに備え付けた状態で、この下側のシート２４のシボリ部２７の凹部へ入り込み、シボリ部２７を下方から支持するように設けられている。
【００２４】
このように、磁気テープカセット１００には、磁気テープ２１の下方のシート２４にシボリ部２７を設けた上で、シボリ部２７の下方から支持するリブ３０が設けられているため、シボリ部２７が磁気テープ２１の重量によって潰れて磁気テープ２１に巻き乱れが生じることを防止することができる。
【００２５】
図２は、図１に示す磁気テープカセットを組み立てた状態において矢印方向に見た断面図である。なお、図２は模式図であり、各部の寸法は実際とは異なる比率で示している。図２に示すように、磁気テープカセット１００において、下ハーフ１１の下面には、リブ３０が形成された箇所の裏側に相当する部位を肉ぬすみすることによってスライド溝３１が形成されている。
【００２６】
スライダ１２には、孔１２ｂを通るカセット前後方向に、下ハーフ１１側へ向かって突出する２本のスライドリブ３２が形成されている。スライドリブ３２は、下ハーフ１１にスライダ１２を組み付けた状態で下ハーフ１１のスライド溝３１内にスライド可能に入り込んでいる。
【００２７】
このように、磁気テープカセット１００は、下ハーフ１１のスライド溝３１内に、スライダ１２のスライドリブ３２がスライド可能に入り込んでいる構成とすることで、下ハーフ１１に対してスライダ１２を、下ハーフ１１に対してがたつきなく円滑にスライドさせることができる。
【図面の簡単な説明】
【００２８】
【図１】本発明に係る磁気テープカセットを示す分解斜視図である。
【図２】磁気テープカセットの断面図である。
【図３】従来の磁気テープカセットの分解斜視図である。
【符号の説明】
【００２９】
１０  上ハーフ
１１  下ハーフ
１２  スライダ
２１  磁気テープ
２２  巻取ハブ
２４，２５  シート
２７  シボリ部
２９  溝部
３０  リブ
３１  スライド溝
３２  スライドリブ
【図１】
2005243110.tif 000003
【図２】
2005243110.tif 000004
【図３】
2005243110.tif 000005